(57)【要約】【課題】  クリティカルな調整を不要とし、メンテナンスフリーと耐候性を大幅に向上させて、長期に亘ってスケール除去を含む水質改善作用を効率よく維持することができる水質改善装置の駆動機構を提供する。【解決手段】  駆動機構４は、複数の永久磁石要素５ｂを異なる磁化方向に周期的に配列した筒状の交番磁場発生体６を銅製の中空パイプ７に内嵌固定し、かつ大小径の異なる複数の孔を無作為に穿設した固定筒体８と、大小径の異なる複数の孔を無作為に穿設した回転筒体９を、交番磁場発生体６内に同軸状に配設し、中空パイプ７の軸芯位置に挿通した銅線１０に、回転筒体９の回転駆動により偏波長を伴う交流の電磁界誘起電流を発生させるように構成した。【選択図】  図１
2006110422.tif 000002
【特許請求の範囲】
【請求項１】
被処理液体に直角に作用する磁界を発生するためのコイルを、当該被処理液体が流通する配管パイプの供給側外周に配置し、かつ上記コイルの両端に交流信号を出力する駆動機構を備えて、配管パイプの内部に付着したスケールの除去およびその付着の予防を行うように構成した水質改善装置において、上記駆動機構は、複数の永久磁石要素を異なる磁化方向に周期的に配列した筒状の交番磁場発生体を、銅製の中空パイプに内嵌固定し、かつ大小径の異なる複数の孔を無作為に穿設した鉄ニッケル合金製の固定筒体と、大小径の異なる複数の孔を無作為に穿設した鉄ニッケル合金製の回転筒体を、上記交番磁場発生体内に同軸状に配設して構成されると共に、上記中空パイプの軸芯位置に、電磁波の誘導体としての銅線を長手方向に挿通し、前記回転筒体の回転駆動に連繋して当該銅線に偏波長を伴う交流の電磁界誘起電流を発生させるように構成したことを特徴とする水質改善装置における駆動機構。
【請求項２】
上記駆動機構の回転筒体は、その一端に内嵌したリングの周方向に所定間隔を存して受溝部を刻設し、該受溝部に駆動モータの駆動ギヤを噛合させて回転駆動されることを特徴とする請求項１記載の水質改善装置における駆動機構。
【請求項３】
被処理液体に直角に作用する磁界を発生するためのコイルを、当該被処理液体が流通する配管パイプの供給側外周に配置し、かつ上記コイルの両端に交流信号を出力する駆動機構を備えて、配管パイプの内部に付着したスケールの除去およびその付着の予防を行うように構成した水質改善装置において、上記駆動機構は、複数の永久磁石要素を異なる磁化方向に周期的に配列した筒状の交番磁場発生体を、銅製の中空パイプに内嵌固定し、かつ複数のスリットを周方向に穿設した鉄ニッケル合金製の固定筒体と、複数のスリットを周方向に穿設した鉄ニッケル合金製の振動筒体を、上記交番磁場発生体内に同軸状に配設して構成されると共に、上記中空パイプの軸芯位置に、電磁波の誘導体としての銅線を挿通し、前記振動筒体の長手方向擺動駆動に連繋して当該銅線に偏波長を伴う交流の電磁界誘起電流を発生させるように構成したことを特徴とする水質改善装置における駆動機構。
【請求項４】
上記駆動機構の振動筒体は、その一端側に付設した超音波振動子を介して擺動駆動されることを特徴とする請求項３記載の水質改善装置における駆動機構。
【請求項５】
上記コイルは、一方のコイル端を中心として外方へ漸次拡開する渦巻き状のパターン面を、可撓性を有するフィルム基板上に印捺して形成され、かつ配管パイプの外周面に沿って変形する当該コイルを、シリコン樹脂製のカバー体を介して配管パイプの外面に着脱自在に固定するように構成したことを特徴とする請求項１および３に記載の水質改善装置における駆動機構。
【発明の詳細な説明】
【技術分野】
【０００１】
本発明は、スケールの除去およびその予防を目的とする水質改善装置に係り、詳しくは、簡単な構造で配管パイプの内部に付着したスケールの除去およびその付着の予防を行うことができる水質改善装置における駆動機構に関するものである。
【背景技術】
【０００２】
各種の流体が流れる流体流路を構成する配管パイプには、その内面にスケールや大量の沈殿物が付着して配管パイプが詰まり、また、流体に含まれる物質により内面が腐食される等の問題を生じることが従来から知られており、このような問題に対しては、公衆衛生の見地から、    1.配管パイプ内の油脂を含む残留物を貯留槽に一旦貯留し、下水に流出させる前にバキュームカーで定期的に貯留槽から吸い取る。    2.配管パイプに連続的あるいは間欠的に上水をブローイングし、油脂を含む残留物を貯留槽に一旦貯留した後に下水に流出させる。    3.防錆剤・スケール付着防止剤等の薬剤を配管パイプに注入し、油脂を含む残留物を貯留槽に一旦貯留した後に下水に流出させる。等の対策、措置が提案されている。  
【０００３】
しかしながら、上述のような対策、措置は多大な付加設備を必要とし、またこれらを設置する際には、現在使用しているパイプシステムの操業を停止しなければならず、さらには設備の設置後のメンテナンスなどの運用面における維持コストの上昇と、日常的に連続して行われる通常の操業を一旦停止して、点検・保守のメンテナンスを別作業として行うため、作業効率の低下を招くものであった。  
【０００４】
そこで、コイルで電磁界を誘起させて配管パイプ内を流通する被処理液体に対して磁場と電場を作用させることにより生じるローレンツ力に着目して、液体分子および液体中のイオンを媒体として電磁界処理することが提案されている。    
【特許文献１】特開平８−４２９９３号公報
【特許文献２】特開２００１−３８３６２号公報
【０００５】
上記特許文献１および２では、電磁界処理により生じたローレンツ力を利用して、スケール因子の表面および配管パイプ内面をともに強く負に帯電させてスケールとパイプ内面を反発させ、スケール因子を小結晶化させると共に、液体分子を構成する水のクラスターを小粒子化し、結合を不安定にさせてスケール因子をパイプ内面から容易に離脱させ、パイプ内面を還元状態にして酸化を防止することができるものであるが、特定周波数領域で周波数を時間軸で変化させる変換部や電磁界誘起電流を調整する調整部、等の電子回路を利用した構成であるため、複雑な部材構成とクリティカルな調整作業を必要とし、耐候性を必要とする屋外設備や湿気や熱気を伴う過酷な使用環境下での信頼性に関しては、改善の余地を残すものであった。
【発明の開示】
【発明が解決しようとする課題】
【０００６】
本発明は、叙上の如き実状に鑑み、ローレンツ力を利用するものでありながら、より実際的な使用状況に基づいた水質改善装置の構成を目指す研究、開発の過程で創案されたものであって、その意図するところは、機構部材を主体とする装置構成に基づく構造でありながら、電子回路を主体とする従来装置に比してクリティカルな調整を不要とし、メンテナンスフリーと耐候性を大幅に向上させて、長期に亘って信頼性の高い稼働状況を維持しつつ、対象となる被処理液体に対してスケール除去を含む水質改善作用を効率よく維持することができる水質改善装置の駆動機構を提供することを目的としている。
【課題を解決するための手段】
【０００７】
課題を解決するため本発明が採用した第１の技術手段は、被処理液体に直角に作用する磁界を発生するためのコイルを、当該被処理液体が流通する配管パイプの供給側外周に配置し、かつ上記コイルの両端に交流信号を出力する駆動機構を備えて、配管パイプの内部に付着したスケールの除去およびその付着の予防を行うように構成した水質改善装置において、上記駆動機構は、複数の永久磁石要素を異なる磁化方向に周期的に配列した筒状の交番磁場発生体を、銅製の中空パイプに内嵌固定し、かつ大小径の異なる複数の孔を無作為に穿設した鉄ニッケル合金製の固定筒体と、大小径の異なる複数の孔を無作為に穿設した鉄ニッケル合金製の回転筒体を、上記交番磁場発生体内に同軸状に配設して構成されると共に、上記中空パイプの軸芯位置に、電磁波の誘導体としての銅線を長手方向に挿通し、前記回転筒体の回転駆動に連繋して当該銅線に偏波長を伴う交流の電磁界誘起電流を発生させるように構成したことを特徴とするものである。  
【０００８】
本発明が採用した第２の技術手段は、上記駆動機構の回転筒体は、その一端に内嵌したリングの周方向に所定間隔を存して受溝部を刻設し、該受溝部に駆動モータの駆動ギヤを噛合させて回転駆動されることを特徴とするものである。  
【０００９】
本発明が採用した第３の技術手段は、被処理液体に直角に作用する磁界を発生するためのコイルを、当該被処理液体が流通する配管パイプの供給側外周に配置し、かつ上記コイルの両端に交流信号を出力する駆動機構を備えて、配管パイプの内部に付着したスケールの除去およびその付着の予防を行うように構成した水質改善装置において、上記駆動機構は、複数の永久磁石要素を異なる磁化方向に周期的に配列した筒状の交番磁場発生体を、銅製の中空パイプに内嵌固定し、かつ複数のスリットを周方向に穿設した鉄ニッケル合金製の固定筒体と、複数のスリットを周方向に穿設した鉄ニッケル合金製の振動筒体を、上記交番磁場発生体内に同軸状に配設して構成されると共に、上記中空パイプの軸芯位置に、電磁波の誘導体としての銅線を挿通し、前記振動筒体の長手方向擺動駆動に連繋して当該銅線に偏波長を伴う交流の電磁界誘起電流を発生させるように構成したことを特徴とするものである。  
【００１０】
本発明が採用した第４の技術手段は、上記駆動機構の振動筒体は、その一端側に付設した超音波振動子を介して擺動駆動されることを特徴とするものである。  
【００１１】
本発明が採用した第５の技術手段は、上記コイルは、一方のコイル端を中心として外方へ漸次拡開する渦巻き状のパターン面を、可撓性を有するフィルム基板上に印捺して形成され、かつ配管パイプの外周面に沿って変形する当該コイルを、シリコン樹脂製のカバー体を介して配管パイプの外面に着脱自在に固定するように構成したことを特徴とするものである。
【発明の効果】
【００１２】
したがって本発明によれば、機構部材を主体として複雑な装置構成を要することなく、メンテナンスフリーと耐候性を向上させて、長期に亘って信頼性の高い装置の稼働状況を継続させることができ、対象となる被処理液体に対してスケール除去を含む水質改善作用を効率よく維持することができる。
【発明を実施するための最良の形態】
【００１３】
筒状に形成した交流磁場発生体に、鉄ニッケル合金製の固定筒体を内嵌固定し、更に鉄ニッケル合金製の回転筒体を固定筒体に同軸状に配設すると共に、交流磁場発生体の軸芯位置に、電磁波の誘導体としての銅線を長手方向に挿通させて、回転筒体の回転駆動に連繋して銅線に交流電流を誘起するようにした。
【実施例１】
【００１４】
本発明の構成を、添付図面に基づいて詳細に説明する。  図において、１は水質改善装置であり、該水質改善装置１は、被処理液体が流通する配管パイプ２の外周面に巻装されるコイル３と、当該コイル３の両端に設けられた接続端３ａ、３ｂに交流信号を出力する駆動機構４を備えてなり、上記配管パイプ２の内部に付着したスケールの除去およびその付着の予防を行うように構成されている。  
【００１５】
上記駆動機構４は、シリコン樹脂で形成された基体５ａに複数の永久磁石要素５ｂ、５ｂ…を異なる磁化方向（図３（ｃ）の矢印で示す）に周期的な配列で埋設した筒状の交番磁場発生体６を、両端面７ａ、７ａを封鎖してなる銅製の中空パイプ７に内嵌固定し、かつ大小径の異なる複数の孔８ａ、８ｂ、８ｃを無作為に穿設した鉄ニッケル合金製の固定筒体８と、大小径の異なる複数の孔９ａ、９ｂ、９ｃを無作為に穿設した鉄ニッケル合金製の回転筒体９を、上記交番磁場発生体６内に同軸状に配設して構成されると
共に、上記中空パイプ７の軸芯位置に、電磁波の誘導体としての銅線１０を長手方向に挿通し、前記回転筒体９の回転駆動に連繋して当該銅線１０に交流電流を誘起するようになっている。  
【００１６】
すなわち、上記交番磁場発生体６は、中空パイプ７の端縁部に嵌着固定したフレームリング１１、１１間に挟持されて配設されており、当該交番磁場発生体６の内周面に外周面が面着する固定筒体８を、同じくフレームリング１１、１１間に同軸状に挟持すると共に、上記固定筒体８の内方に所定の間隙を存して回転筒体９が環状のベアリングＢ、Ｂを介して回転自在に配設されている。  
【００１７】
上記回転筒体９は、その両端周縁部の内面にリング１２ａ、１２ｂをそれぞれ同軸状に内嵌して構成されており、該リングのうち、一方のリング１２ｂの内周には、受溝部１２ｃが周設されると共に、上記中空パイプ７の端面７ａには、図示しない制御部からの制御信号により回転速度が１００ｒｐｍ〜１０００ｒｐｍの範囲で可変可能なパルスモータ１３が配設されており、その回転駆動ギヤ１３ａに上記受溝部１２ｃを噛合させて回転筒体９を回転駆動するようになっている。  
【００１８】
一方、前記コイル３は、図６に示すように、一方の接続端３ｂ（コイル端３ｂ）を中心として外方へ漸次方形状に拡開するパターン面３ｃを、可撓性を有するフィルム基板３ｄ上に印捺して形成されている。そして、上記コイル３は、図７に示すように、断面視逆Ｕ字形に形成したシリコン樹脂からなるカバー体１４を、配管パイプ２の上面または下面にコイル３を沿わせた状態で、当該カバー体１４の嵌着凹部１４ａをはめ込んで固定すれば、コイル３を所定位置に常設することなく、任意の配管パイプ２の設置場所で水質改善装置１の設置および取り外しを簡単に行うことができるようになる。  
【００１９】
本実施例１は、叙上の如く構成されているから、図示しない制御部から制御信号がパルスモータ１３に送出されると、該パルスモータ１３の回転駆動が開始されて駆動機構４の回転筒体９が回転駆動される。この時、交番磁場発生体６で発生する交番磁界に対して、固定筒体８の無作為に穿設された複数の孔８ａ、８ｂ…と、上記回転筒体９の無作為に穿設された複数の孔９ａ、９ｂ…との重合および重合の解除が経時的に連続して行われ、結果として、上記固定筒体８および回転筒体９を介して交番磁界の遮断、通過が繰り返されることになる。  
【００２０】
そして、中空パイプ７の軸芯位置に挿通した銅線１０を交番磁界が通過した時点で、当該銅線１０に起電力が発生すると同時に、この起電力が銅線１０を流れて磁界が発生し、上記交番磁界の遮断、通過が繰り返されることにより、偏波長を伴う交流の電磁界誘起電流が銅線１０に伝達されることになる。  
【００２１】
上述のように、銅線１０に誘起された電磁界誘起電流は、そのままコイル３の接続端３ａ、３ｂ間に印加され、電磁界が誘起されて配管パイプ２内に磁場と電場が生じると共に、磁場と電場の電子エネルギーによって当該配管パイプ２内を流通する被処理液体に対し、液体分子及び被処理液体中のイオンを媒体として電解エネルギが与えられて電磁界処理が行われることになる。  
【００２２】
そして、電磁界処理された被処理液体は、含有するスケール因子を含む配管パイプ２の外面及び内面を負に帯電させ、かつコイル３に供給される電磁界誘起電流は、固定筒体８の孔８ａ、８ｂ…と回転筒体９の孔９ａ、９ｂ…との重合および重合の解除が経時的に連続して行われることで、周波数の時系列変化（変調）に伴う磁束変化を生じさせ、配管パイプ２内に誘導電場エネルギによる誘導電場が形成されて高渦電流が発生することになる。  
【００２３】
すなわち、通常における配管パイプ２内を流通する被処理液体中のスケール因子は、表面が正の電荷を帯びていることから、アースによりわずかに負に帯電する配管パイプ２の内面に付着することになるが、上記高渦電流による電磁界処理によって、スケール因子の表面に負の電荷をもたせてイオン化すると共に、配管パイプ２の内面に強い負の電荷をもたせることにより、スケール因子の表面及び配管パイプ２の内面をともに強く負に帯電させ、スケール因子と配管パイプ２の内面とが強く反発することになる。  
【００２４】
したがって、スケール因子と配管パイプ２の内面との反発によってスケール因子を配管パイプ２の内面から離脱させることができ、スケール因子が配管パイプ２内面に付着するのを未然に防止することができる。  
【００２５】
また、上記電磁界処理によって、スケール因子の表面に強い負の電荷をもたせることにより、スケール因子同士の結合による大粒子化を阻止し、かつ被処理液体の表面張力を低下させて水クラスタを小粒子化させることにより、スケール因子内に水を浸透させて小さな結晶体に溶解することができ、溶解したスケールがより小さな結晶体に再結晶化されることによって、再度スケール因子が配管パイプ２の内面に付着しないようにすることができる。  
【００２６】
なお、実験によれば、駆動機構４の具体的な構成として  1.交番磁場発生体（シリコン樹脂の厚さ：５ｍｍ）  2.固定筒体（厚さ：０.１ｍｍ）  3.回転筒体（厚さ：０.１ｍｍ）  4.銅線（線径：１.２５ｍｍ）  5.交番磁場発生体（軸芯位置で５０００ガウス以上）  6.回転筒体の回転速度：１００ｒｐｍ〜１０００ｒｐｍの要件で最良のスケール因子離脱効果が認められた。  
【００２７】
一方、従来の配管パイプにおける被処理液体による赤錆の発生メカニズムを説明すると、水道水に含有される消毒剤としての塩素が、配管パイプ２の内面を侵食することにより当該配管パイプ２の鉄分が被処理液体中にFe2+として溶解し、鉄イオンは被処理液体中のアルカリ分と反応してFe(OH)2を形成すると共に、上記Fe(OH)2は被処理液体中の溶存酸素と反応して2Fe(OH)3を形成し、この2Fe(OH)3がさらに酸化することにより、Fe2O3（赤錆）が形成されることになる。  
【００２８】
上述のように発生した赤錆（Fe2O3）に対しては、上記被処理液体の電磁界処理で配管パイプ２内面に強い負の電荷をもたせることにより、配管パイプ２内に誘導電場が形成され、当該配管パイプ２はその内面に強い還元状態を保持することになる。そして、この還元状態となった配管パイプ２の内面では、負の電荷を与えられたことにより、上記赤錆（Fe2O3）がO2を放出し、結果として無害な黒錆（Fe3O4）が形成されることになり、したがって、被処理液体中の溶存酸素による配管パイプ２の内面の酸化作用を防止し、腐食を防止することができる。
【実施例２】
【００２９】
次に、実施例２について詳細に説明する。なお、前記実施例１と同一の構成部材については同一の符号を付与して説明する。  図８〜図１１において、１５は水質改善装置であり、該水質改善装置１５は、被処理液体が流通する配管パイプ２の外周面に巻装されるコイル３と、当該コイル３の両端に設けられた接続端３ａ、３ｂに交流信号を出力する駆動機構１６を備えてなり、上記配管パイプ２の内部に付着したスケールの除去およびその付着の予防を行うように構成されている。  
【００３０】
上記駆動機構１６は、シリコン樹脂で形成された基体５ａに複数の永久磁石要素５ｂ、５ｂ…を異なる磁化方向に周期的な配列で埋設した筒状の交番磁場発生体６を、両端面７ａ、７ａを封鎖してなる銅製の中空パイプ７に内嵌固定し、かつ複数のスリット１７ａを周方向に穿設鉄ニッケル合金製の固定筒体１７と、複数のスリット１８ａを周方向に穿設鉄ニッケル合金製の振動筒体１８を、上記交番磁場発生体６内に同軸状に配設して構成されると共に、上記中空パイプ７の軸芯位置に、電磁波の誘導体としての銅線１０を長手方向に挿通し、上記振動筒体１８の長手方向擺動駆動に連繋して当該銅線１０に交流電流を誘起するようになっている。  
【００３１】
すなわち、上記交番磁場発生体６は、中空パイプ７の端縁部に嵌着固定したフレームリング１１、１１間に挟持されて配設されており、当該交番磁場発生体６の内周面に外周面が面着する固定筒体１７を、同じくフレームリング１１、１１間に同軸状に挟持すると共に、上記固定筒体１７の内方に所定の間隙を存して振動筒体１８が緩衝体１８ｂ、１８ｂを介して擺動自在に配設されている。  
【００３２】
上記振動筒体１８は、その両端周縁部の内面にリング１９ａ、１９ｂをそれぞれ同軸状に嵌着して構成されており、該リングのうち、一方のリング１９ｂの内周には、超音波振動子２０の先端部２０ａが固着されると共に、上記中空パイプ７の端面７ａには、図示しない制御部からの制御信号により振幅数が３００回／秒の性能を有する超音波発生器２１が配設されており、上記超音波振動子２０を介して振動筒体１８を長手方向に擺動駆動するようになっている。  
【００３３】
一方、前記コイル３は、図６に示すように、一方の接続端３ｂ（コイル端３ｂ）を中心として外方へ漸次方形状に拡開するパターン面３ｃを、可撓性を有するフィルム基板３ｄ上に印捺して形成されている。そして、上記コイル３は、図７に示すように、断面視逆Ｕ字形に形成したシリコン樹脂からなるカバー体１４を、配管パイプ２の上面または下面にコイル３を沿わせた状態で、当該カバー体１４の嵌着凹部１４ａをはめ込んで固定するようになっている。  
【００３４】
本実施例２は、叙上の如く構成されているから、超音波発生器２１から制御信号が超音波振動子２０に送出されると、該振動子２０の先端部２０ａを介して駆動機構１６の振動筒体１８が長手方向に擺動駆動される。この時、交番磁場発生体６で発生する交番磁界に対して、固定筒体１７の複数のスリット１７ａと、上記振動筒体１８の複数のスリット１８ａとの重合および重合の解除が経時的に連続して行われ、結果として、上記固定筒体１７および振動筒体１７を介して交番磁界の遮断、通過が繰り返されることになる。  
【００３５】
そして、中空パイプ７の軸芯位置に挿通した銅線１０を交番磁界が通過した時点で、当該銅線１０に起電力が発生すると同時に、この起電力が銅線１０を流れて磁界が発生し、上記交番磁界の遮断、通過が繰り返されることにより、偏波長を伴う交流の電磁界誘起電流が銅線１０に伝達されることになる。  
【００３６】
上述のように、銅線１０に誘起された電磁界誘起電流は、そのままコイル３の接続端３ａ、３ｂ間に印加され、電磁界が誘起されて配管パイプ２内に磁場と電場が生じると共に、磁場と電場の電子エネルギーによって当該配管パイプ２内を流通する被処理液体に対し、液体分子及び被処理液体中のイオンを媒体として電解エネルギが与えられて電磁界処理が行われることになる。  
【００３７】
そして、電磁界処理された被処理液体は、含有するスケール因子を含む配管パイプ２の外面及び内面を負に帯電させ、かつコイル３に供給される電磁界誘起電流は、固定筒体１７のスリット１７ａと振動筒体１８のスリット１８ａとの重合および重合の解除が経時的に連続して行われることで、周波数の時系列変化（変調）に伴う磁束変化を生じさせ、配管パイプ２内に誘導電場エネルギによる誘導電場が形成されて高渦電流が発生することになる。  
【００３８】
すなわち、通常における配管パイプ２内を流通する被処理液体中のスケール因子は、表面が正の電荷を帯びていることから、アースによりわずかに負に帯電する配管パイプ２の内面に付着することになるが、上記高渦電流による電磁界処理によって、スケール因子の表面に負の電荷をもたせてイオン化すると共に、配管パイプ２の内面に強い負の電荷をもたせることにより、スケール因子の表面及び配管パイプ２の内面をともに強く負に帯電させ、スケール因子と配管パイプ２の内面とが強く反発することになる。  
【００３９】
したがって、スケール因子と配管パイプ２の内面との反発によってスケール因子を配管パイプ２の内面から離脱させることができ、スケール因子が配管パイプ２内面に付着するのを未然に防止することができる。  
【００４０】
また、上記電磁界処理に
よって、スケール因子の表面に強い負の電荷をもたせることにより、スケール因子同士の結合による大粒子化を阻止し、かつ被処理液体の表面張力を低下させて水クラスタを小粒子化させることにより、スケール因子内に水を浸透させて小さな結晶体に溶解することができ、溶解したスケールがより小さな結晶体に再結晶化されることによって、再度スケール因子が配管パイプ２の内面に付着しないようにすることができる。  
【００４１】
なお、実験によれば、駆動機構１６の具体的な構成として  1.交番磁場発生体（シリコン樹脂の厚さ：５ｍｍ）  2.固定筒体（厚さ：０.１ｍｍ、スリット幅：０.５ｍｍ）  3.回転筒体（厚さ：０.１ｍｍ、スリット幅：０.５ｍｍ）  4.銅線（線径：１.２５ｍｍ）  5.交番磁場発生体（軸芯位置で５０００ガウス以上）  6.振動筒体の繰り返し振幅数：３００回／秒の要件で最良のスケール因子離脱効果が認められた。  なお、コイル３に関するその他の性能および機能については、前記実施例１と同様であるので説明を省略する。
【産業上の利用可能性】
【００４２】
廃水処理や水道設備の浄化に留まらず、灌漑用水などの屋外における利用も可能である。
【図面の簡単な説明】
【００４３】
【図１】実施例１における水質改善装置の全体図
【図２】駆動機構の全体拡大図
【図３】（ａ）は展開した交番磁場発生体の平面図、（ｂ）は同上正面図、（ｃ）は永久磁石要素の配列を示す説明図、（ｄ）は展開した固定筒体の平面図、（ｅ）は同上正面図
【図４】（ａ）は展開した回転筒体の平面図、（ｂ）は同上正面図、（ｃ）はリングの縦断面図、（ｄ）は同上正面図、（ｅ）はリングの縦断面図、（ｆ）は同上正面図
【図５】（ａ）は各構成部材の配置を示す側面図、（ｂ）は同上斜視図
【図６】（ａ）はコイルの平面図、（ｂ）は同上正面図、（ｃ）は同上右側面図
【図７】（ａ）はカバー体の左側面図、（ｂ）は同上正面図、（ｃ）は使用状態を示す斜視図
【図８】実施例２における水質改善装置の全体図
【図９】（ａ）は展開した交番磁場発生体の平面図、（ｂ）は同上正面図、（ｃ）は展開した固定筒体の平面図、（ｄ）は同上正面図
【図１０】（ａ）は展開した振動筒体の平面図、（ｂ）は同上正面図、（ｃ）はリングの縦断面図、（ｄ）は同上正面図、（ｅ）はリングの縦断面図、（ｆ）は同上正面図
【図１１】（ａ）は各構成部材の配置を示す側面図、（ｂ）は同上斜視図
【符号の説明】
【００４４】
１      水質改善装置２      配管パイプ３      コイル３ａ    接続端３ｂ    接続端３ｃ    パターン面３ｄ    フィルム基板４      駆動機構５ｂ    永久磁石要素６      交番磁場発生体７      中空パイプ８      固定筒体８ａ    孔８ｂ    孔８ｃ    孔９      回転筒体９ａ    孔９ｂ    孔９ｃ    孔１０    銅線１２ｃ  受溝部１３    パルスモータ（駆動モータ）１３ａ  駆動ギヤ１５    水質改善装置１６    駆動機構１７    固定筒体１７ａ  スリット１８    振動筒体１８ａ  スリット２０    超音波振動子
【図１】
2006110422.tif 000003
【図２】
2006110422.tif 000004
【図３】
2006110422.tif 000005
【図４】
2006110422.tif 000006
【図５】
2006110422.tif 000007
【図６】
2006110422.tif 000008
【図７】
2006110422.tif 000009
【図８】
2006110422.tif 000010
【図９】
2006110422.tif 000011
【図１０】
2006110422.tif 000012
【図１１】
2006110422.tif 000013